(57)【要約】【課題】本発明は、回転軸と大リール及び小リールとの間にクラッチディスクを設け、回転軸の軸方向移動によって大リール又は小リールのみを独立して回転させることを目的とする。【解決手段】本発明によるケーブルドラムは、回転軸(5)に回転自在に設けた大リール(4)及び小リール(10)と、前記回転軸(5)に固定した大リール用回転軸クラッチディスク(30)及び小リール用回転軸クラッチディスク(31)と、前記大リール(4)に設けた大リール用クラッチディスク(32)と、前記小リール(10)に設けた小リール用クラッチディスク(35)とを有し、前記回転軸(5)の押し引きにより大リール(4)のみ、又は、小リール(10)のみの回転を行うようにした構成である。【選択図】図３
2006321600.tif 000002
【特許請求の範囲】
【請求項１】
全体形状が枠形をなし脚部(3)を有するリール保持枠(1)と、前記リール保持枠(1)に回転及び直動自在に設けられハンドル(6)を前記リール保持枠(1)の外部に有する回転軸(5)と、前記回転軸(5)に回転自在に設けられた大リール(4)及び小リール(10)と、前記大リール(4)に接続し前記回転軸(5)とは非回転状に設けられた大リール用クラッチディスク(32)と、前記回転軸(5)に固定され前記大リール用クラッチディスク(32)と接離可能な大リール用回転軸クラッチディスク(30)と、前記小リール(10)に接続し前記回転軸(5)とは非回転状に設けられた小リール用クラッチディスク(35)と、前記回転軸(5)に固定され前記小リール用クラッチディスク(35)と接離可能な小リール用回転軸クラッチディスク(31)と、前記大リール(4)と小リール(10)に連続して巻回された1本のケーブル(9)とを備え、
前記ハンドル(6)を介して前記回転軸(5)を前記リール保持枠(1)から突出する第1方向(A)へ移動させて回転させることにより、前記大リール用回転軸クラッチディスク(30)が前記大リール用クラッチディスク(32)と接合して前記大リール(4)のみが回転し、前記ハンドル(6)を介して前記回転軸(5)を前記リール保持枠(1)内へ押入する第２方向(B)へ移動させて回転させることにより、前記小リール用回転軸クラッチディスク(31)が前記小リール用クラッチディスク(35)と接合して前記小リール(10)のみが回転するように構成しことを特徴とするケーブルドラム。
【請求項２】
前記ケーブル(9)の一端(9a)及び他端(9b)には、コネクタ(30,31)及びケーブル固定用ひも(40,41)が設けられていることを特徴とする請求項１記載のケーブルドラム。
【請求項３】
前記大リール(4)は大摺動リング(50,51)を介し、前記小リール(10)は小摺動リング(52)を介して、各々回転軸(5)に回転自在に設けられていることを特徴とする請求項１又は２記載のケーブルドラム。
【発明の詳細な説明】
【技術分野】
【０００１】
本発明は、ケーブルドラムに関し、特に、回転軸と大リール及び小リールとの間にクラッチディスクを設け、回転軸の軸方向移動によって大リール又は小リールのみを独立して回転させるようにするための新規な改良に関する。
【背景技術】
【０００２】
従来、用いられていたこの種のケーブルドラムとしては、社内製作のみであるため特許文献等は開示していないが、図４から図６で示す構成を挙げることができる。
すなわち、図４から図６において符号１で示されるものは全体形状が枠形をなすリール保持枠であり、このリール保持枠１の基部２の下部には複数のキャスタ３が設けられている。
【０００３】
前記リール保持枠１内には大リール４を有する筒状の回転軸５が回転自在に軸支されており、この回転軸５にはハンドル６が設けられている。
前記大リール４は、一対の大リール用サイドプレート７，８により構成され、この大リール４にはケーブル９が巻回できるように構成されている。
【０００４】
前記リール保持枠１から突出した前記回転軸５の突出部５ａには、前記大リール４よりも小径の小リール１０が固定して設けられている。
前記小リール１０には、一対の小リール用サイドプレート１１，１２が設けられている。
【０００５】
前記ケーブル９は、前記回転軸５の中空部５ａを貫通してこの回転軸５のほぼ中央位置に形成された開口５ｂから大リール４内へ案内され、このケーブル９の一端９ａ側はこの大リール４に５０〜６０ｍ分が巻回されていると共に、その他端９ｂ側は前記小リール１０に５〜６ｍ分が巻回されている。
【０００６】
前述の構成において、大リール４に巻回されたケーブル９の一端９ａは、例えば、発射制御器側２０に接続され、その他端９ｂは小リール１０からはずして引出し遠隔操作器側２１に接続される。
前記遠隔操作器側２１でケーブル９を介して前記発射制御器側２０に信号を送信し、発射制御を行うことができる。
【発明の開示】
【発明が解決しようとする課題】
【０００７】
従来のケーブルドラムは、以上のように構成されていたため、次のような課題が存在していた。
すなわち、小リールがリール保持枠の外側に位置しているため、装置全体が大形化するとともに、サイドプレートが４個必要となり、部品点数の低減が困難であった。
また、回転軸を回転させると大リールと小リールが同時に回転していたため、大リール側にケーブルを巻き取る際、小リールも回転し、小リールにケーブルがからみつくことになり、大リールと小リールを別々に回転させると云う要望に応じることは不可能であった。
【課題を解決するための手段】
【０００８】
本発明によるケーブルドラムは、全体形状が枠形をなし脚部を有するリール保持枠と、前記リール保持枠に回転及び直動自在に設けられハンドルを前記リール保持枠の外部に有する回転軸と、前記回転軸に回転自在に設けられた大リール及び小リールと、前記大リールに接続し前記回転軸とは非回転状に設けられた大リール用クラッチディスクと、前記回転軸に固定され前記大リール用クラッチディスクと接離可能な大リール用回転軸クラッチディスクと、前記小リールに接続し前記回転軸とは非回転状に設けられた小リール用クラッチディスクと、前記回転軸に固定され前記小リール用クラッチディスクと接離可能な小リール用回転軸クラッチディスクと、前記大リールと小リールに連続して巻回された1本のケーブルとを備え、前記ハンドルを介して前記回転軸を前記リール保持枠から突出する第1方向へ移動させて回転させることにより、前記大リール用回転軸クラッチディスクが前記大リール用クラッチディスクと接合して前記大リールのみが回転し、前記ハンドルを介して前記回転軸を前記リール保持枠内へ押入する第２方向へ移動させて回転させることにより、前記小リール用回転軸クラッチディスクが前記小リール用クラッチディスクと接合して前記小リールのみが回転するようにした構成であり、また、前記ケーブルの一端及び他端には、コネクタ及びケーブル固定用ひもが設けられている構成であり、また、前記大リールは大摺動リングを介し、前記小リールは小摺動リングを介して、各々回転軸に回転自在に設けられている構成である。
【発明の効果】
【０００９】
本発明によるケーブルドラムは、以上のように構成されているため、次のような効果を得ることができる。
すなわち、大リール側と小リール側に各々クラッチディスクが設けられ、回転軸の押引きによって、大リールのみ、又は、小リールのみの回転を行い、ケーブルを各々大リール側と小リール側に分けて巻き取り又は放出が可能となり、ケーブルのからみつきを防止することができる。
【発明を実施するための最良の形態】
【００１０】
本発明は、回転軸と大リール及び小リールとの間にクラッチディスクを設け、回転軸の軸方向移動によって大リール又は小リールのみを独立して回転させるようにしたケーブルドラムを提供することを目的とする。
【実施例】
【００１１】
以下、図面と共に本発明によるケーブルドラムの好適な実施の形態について説明する。
尚、従来例と同一又は同等部分には、同一符号を付して説明する。
図１から図４において符号１で示されるものは、全体形状が枠形をなすリール保持枠であり、このリール保持枠１の基部の両側には一対の脚部３が設けられている。
【００１２】
前記リール保持枠１内には、大リール４及びこの大リール４よりも小径の小リール１０を有する回転軸５が一対の軸受２５，２６を介して回転自在に軸支されており、この回転軸５にはリール保持枠１の外側に位置するハンドル６が設けられている。尚、この回転軸５は前記リール保持枠１の両端の一対の軸受２５，２６を介して回転及び軸方向移動自在に設けられている。
【００１３】
前記大リール４は、一対の大リール用サイドプレート７，８により構成され、この大リール４にはケーブル９が巻回できるように構成されている。
前記大リール４は、一対の大摺動リンク５０，５１を介して前記回転軸５に対して回転自在に設けられている。
前記大リール４の隣には、小リール１０を構成するための一対の小リール用サイドプレート１１が設けられ、前記各大リール用サイドプレート７，８に対して前記小リール１０は離間して配設されている。
また、前記小リール１０も、点線で示す一対の小摺動リング５２を介して前記回転軸５に対して回転自在に設けられている。
【００１４】
前記回転軸５上における前記大リール４に対応する位置には大リール用回転軸クラッチディスク３０が固定して設けられ、前記回転軸５の前記小リール１０に隣接する位置には小リール用回転軸クラッチディスク３１が設けられている。
【００１５】
前記大リール４の内側には、前記大リール４に固定され前記回転軸５に対しては回転自在となる大リール用クラッチディスク３２が設けられ、前記小リール１０の一方の小リール用サイドプレート１１には小リール用クラッチディスク３５が設けられている。
【００１６】
前記大リール４の一方の大リール用サイドプレート８には穴３６が形成され、この大リール４に巻回されたケーブル９の一端９ａは大リール４の外側へ導出されると共に、他端９ｂは前記穴３６を介して前記小リール１０の外周に巻回されている。
【００１７】
前記一端９ａにはコネクタ７０が接続されると共にケーブル固定用ひも４０が接続され、前記他端９ｂにはコネクタ７１が接続されると共にケーブル固定用ひも４１が設けられている。
尚、前記一端９ａは、図１に示されるように、例えば、遠隔操作器側２１に接続され、前記他端９ｂは、発射制御器側２０に接続されていることにより、遠隔操作器側２１から発射制御器側２０に信号を送ることができる。尚、前記ケーブル９は大リール用サイドプレート８に設けられた周知の輪状スリップリング６０を介して大リール４から小リール１０側へ巻回され、一方のリール４又は１０のみの回転時のよじれで防ぐように構成されている。
【００１８】
次に、前述の構成において、各リール４又は１０を独立して回転させる場合について述べる。
図３に示すように、ハンドル６を第１方向Ａに引いた状態では、大リール用回転軸クラッチディスク３０が大リール用クラッチディスク３２に接合状態となり、小リール用回転軸クラッチディスク３１は小リール用クラッチディスク３５から離れているため、この状態でハンドル６を介して回転軸５を回転させると、大リール４のみが左右何れかに回転され、大リール４のみに対するケーブル９の巻回又は巻戻しを行うことができる。
【００１９】
また、図３の状態において、前記ハンドル６を第２方向Ｂへ押入すると、前記大リール用回転軸クラッチディスク３０が大リール用クラッチディスク３２から離れると共に、前記小リール用回転軸クラッチディスク３１が小リール用クラッチディスク３５に接合するため、ハンドル６で回転軸５を回転させると、小リール１０のみが左右何れかに回転され、小リール１０のみに対するケーブル９の巻回又は巻戻しを行うことができる。
【産業上の利用可能性】
【００２０】
本発明は、ケーブルに限らず、ホースにも適用可能である。
【図面の簡単な説明】
【００２１】
【図１】本発明によるケーブルドラムを示す正面図である。
【図２】図１の背面図である。
【図３】図１の右側面図である。
【図４】従来構成を示す平面断面図である。
【図５】図５の左側面図である。
【図６】図５の正面図である。
【符号の説明】
【００２２】
１    リール保持枠
３    脚部
４    大リール
５    回転軸
６    ハンドル
７，８    大リール用サイドプレート
９    ケーブル
９ａ    一端
９ｂ    他端
１０    小リール
２０    発射制御器側
２１    遠隔操作器側
３０    大リール用回転軸クラッチディスク
３１    小リール用回転軸クラッチディスク
３２    大リール用クラッチディスク
３５    小リール用クラッチディスク
４０，４１    ケーブル固定用ひも
５０，５１    大摺動リング
【図１】
2006321600.tif 000003
【図２】
2006321600.tif 000004
【図３】
2006321600.tif 000005
【図４】
2006321600.tif 000006
【図５】
2006321600.tif 000007
【図６】
2006321600.tif 000008